(57)【要約】【課題】本発明は人の手や回収器を汚さずに、収容袋が装着された回収器を固形排泄物に覆い被せて、固形排泄物を採取して収容袋ごと廃棄ができる携帯性、操作性に優れた動物の固形排泄物回収具を得るにある。【解決手段】一対の開閉する内曲がり状の採取口部５が先端部に付いた中空形状の収容胴部４と、この前記収容胴部４に施けられた前記採取口部５の開閉の支点となる支持部３と、開閉の操作する把手部１と、開閉の動力である動力部２とで成形されている回収器と収容袋６を備えた固形排泄物１１の回収具であって、前記収容袋６は収容袋底部７から前記収容胴部４に挿入して、前記収容胴部４からの外出部を折り返して前記固形排泄物１１に覆い被せると、自動的に、前記固形排泄物１１が前記収容袋６に採取されて、前記収容袋６ごと廃棄ができる機能とで動物の固形排泄物回収具が構成している。【選択図】  図４
2006288212.tif 000002
【特許請求の範囲】
【請求項１】
一対の開閉する内曲がり状の採取口部が先端部に付いた中空形状の収容胴部と、この前記収容胴部に施けられた前記採取口部の開閉の支点となる支持部と、開閉の操作する把手部と、開閉の動力である動力部とで成形されている回収器と収容袋を備えた固形排泄物の回収具であって、前記収容袋は収容袋底部から前記収容胴部に挿入して、前記収容胴部からの外出部を折り返して前記固形排泄物に覆い被せると、自動的に、前記固形排泄物が前記収容袋に採取されて、前記収容袋ごと廃棄ができることを特徴とする動物の固形排泄物回収具。
【請求項２】
回収器の材質は金属製又はプラスチック製等から成形され、収容袋の材質は水等で変形や溶解する紙や水溶性フィルム等の材質を特徴とする請求項１記載の動物の固形排泄物回収具。
【発明の詳細な説明】
【技術分野】
【０００１】
本発明は動物の固形排泄物回収具に関する。
【背景技術】
【０００２】
従来、動物の固形排泄物は人の手を汚さず、衛生的に回収する方法として、脱糞時に落下中の排泄物を収容袋に採取するには、収容袋の開口部を折り返して、収容袋の開口部をずり落ち防止用の掛け止め部とクリップで装着する環状部と環状部を支えるための柄部で構成されている（例えば、特許文献１参照）。又、
落下した排泄物を収容袋に採取するには、収容袋の開口部を収容袋止めが付いた固定ワクに装着し、可動ワクにスプリングとワイヤーで操作する取手レバーとで構成されている（例えば、特許文献２参照）。更に、収容袋を使用しないで、直接、廃棄できる回収器に採取するには、収納胴部から出し入れができるシャベル部と蓋部が紙材のシートで構成されている（例えば、特許文献３参照）。
【０００３】
したがって、特許文献１は動物の脱糞する時の採取が必須の条件となり、動物が動かない状態で、排泄中の排泄物を落下させずに糞を回収するので、脱糞時の採取のタイミングと、補助具の装着と、臭気や採取したビニール袋の廃棄にも欠点があった。
【０００４】
特許文献２は固定ワクに収容袋の開口部を補助具で止め、開閉できる可動ワクを操作する取手レバーと、ワクと取手レバーとの間にスプリングとワイヤーが入った中空支柱が設置された回収器であるので、収容袋を補助具に装着させる作業と、携帯性や収容袋の廃棄にも欠点があった。
【０００５】
特許文献３は収容袋を使用しないで、廃棄できる紙材の回収器に糞を採取した後に、回収器ごとゴミ箱に廃棄するが、ゴミ箱内への廃棄は固形排泄物が腐敗するので非衛生的である。又、採取した固形排泄物と一緒に、組立て式の回収器も廃棄するので、廃棄量の増大と処理価格が高いという欠点があった。
【特許文献１】特開２００２−３４３７９号公報
【特許文献２】特開平９−１３１１４４号公報
【特許文献３】特開２００２−８４９１５号公報
【発明の開示】
【発明が解決しようとする課題】
【０００６】
本発明は以上のような従来の欠点に鑑み、人の手や回収器を汚さずに、収容袋が装着された回収器を固形排泄物に覆い被せて、固形排泄物を採取して収容袋ごと廃棄ができる携帯性、操作性に優れた動物の固形排泄物回収具を提供することを目的としている。
【課題を解決するための手段】
【０００７】
上記の課題を達成するために、一対の開閉する内曲がり状の採取口部が先端部に付いた中空形状の収容胴部と、この前記収容胴部に施けられた前記採取口部の開閉の支点となる支持部と、開閉の操作する把手部と、開閉の動力である動力部とで成形されている回収器と収容袋を備えた固形排泄物の回収具であって、前記収容袋は収容袋底部から前記収容胴部に挿入して、前記収容胴部からの外出部を折り返して前記固形排泄物に覆い被せると、自動的に、前記固形排泄物が前記収容袋に採取されて、前記収容袋ごと廃棄ができる機能とで動物の固形排泄物回収具が構成している。
【０００８】
第２の課題解決手段として、回収器の材質は金属製又はプラスチック製等から成形され、収容袋の材質は水等で変形や溶解する紙や水溶性フィルム等の材質とで動物の固形排泄物回収具を構成している。
【発明の効果】
【０００９】
以上の説明から明らかなように、本発明にあたっては次に列挙する効果が得られた。
開閉する内曲がり状の採取口部が付いた中空形状の収容胴部は、収容袋の挟持と固形排泄物の採取と保管の機能を有して、この機能の操作を把手部と動力部とで構成された回収器は、最小の構造で成形されている。したがって、携帯性、操作性に優れ、愛玩用の家畜、犬、猫、爬虫類、鳥類等の野外での囲いや散歩時、室内での飼育室や籠等の広い分野において固形排泄物の回収作業ができる。
【００１０】
収容袋の折り返しは、収容袋の収容袋底部を収容胴部の内部に挿入して、収容胴部から外出部の収容袋を採取口部に沿って折り返しをすると、収容袋には固形排泄物を採取する収容袋採取口部ができる。又、収容袋は収容胴部で圧されて固定される。したがって、収容袋が固定されているので、収容袋止め具や補助具等を使用しなくても固形排泄物に覆い被せることができる。固形排泄物に覆い被せて採取すると、採取口部の動作で、自動的に固形排泄物が収容袋採取口部から収容袋回収部の内部に挿入して採取することができる。
【００１１】
収容胴部の先端に付いた採取口部は、開閉する内曲がり状の採取口部で構成されているので、収容袋を採取口部に沿って折り返しをするので、内曲がり状の収容袋採取口部ができる。この内曲がり状の収容袋採取口部は、固形排泄物で汚染された部分を掘る、削る、拭くことができる。したがって、犬や猫等の動物が幼稚園、学校、公園、ゴルフ場等の砂場や室内で使用されている猫砂等での固形排泄物の回収は、内曲がり状の収容袋採取口部により、固形排泄物に汚染されている砂と一緒に固形排泄物を採取することができる。又、カラス、ハト、小鳥等の鳥類の固形排泄物は、落下面に付着されるので、この固形排泄物が付着した部分を内曲がり状の収容袋採取口部で削る、拭く等をして固形排泄物を採取することができる。
【００１２】
採取時に、収容袋の収容袋採取口部が固形排泄物との接触により汚染されるが、この汚染部は収容袋の折り返しにより収容袋の裏面であるので、折り返しを元に戻すと汚染されていない面が表面となる。したがって、収容袋の折り返しは固形排泄物から回収器の汚染を防止して、汚染された収容袋に固形排泄物が採取される。
【００１３】
採取後は開閉する内曲がり状の採取口部で収容袋採取口部が挟持するので、収容袋採取口部が密閉される。したがって、固形排泄物は落下しないため、採取した状態で廃棄する場所へ移動ができる。
【００１４】
収容袋の材質は水等で変形や溶解する紙や水溶性フィルム等で構成されているので、採取した収容袋はトイレ等に移動して、直接、便器等に廃棄ができる。したがって、固形排泄物と汚染された収容袋の分別や固形排泄物の入った収容袋の保管等が不要で、固形排泄物を直接、廃棄するので、腐敗もなく衛生的に固形排泄物を廃棄することができる。又、採取した収容袋を廃棄するので、安価で固形排泄物を回収することができる。
【発明を実施するための最良の形態】
【００１５】
以下、図面に示す発明を実施するための最良の形態により、本発明に係る動物の排泄物回収具の一実施例を説明する。
【００１６】
図１から図４の本発明を実施するための最良の形態において、１は開閉の操作をする把手部。２は前記１の開閉の動力となる動力部。３は開閉の支点となる支持部。４は収容する収容胴部。５は前記４に付いている内曲がり状の採取口部。６は採取する収容袋。７は前記６の収容袋底部。８は前記６の収容袋開口部。９は前記６を折り返した時の収容袋採取口部。１０は採取時に採取物が挿入する収容袋回収部。１１は回収する固形排泄物。
【００１７】
図１は、固形排泄物１１が収容袋回収部に挿入して採取がしやすく、又、収容袋の折り返しが容易である開閉する内曲がり状の採取口部５を先端部に付いた中空形状の収容胴部４と、採取口部５と反対側の収容胴部４に、開閉する採取口部５を操作する把手部１とが連結された一対体と、開閉の動力となる動力部２を環状スプリングで構成されたプラスチック成形の回収器である。
【００１８】
図２は把手部１を手指で押圧すると、開閉の支点となる支持部３を経由して収容胴部４の採取口部５が開口するので、採取する紙製の収容袋６の収容袋底部７を収容胴部４の内部に挿入して、把手部１を手指で離圧すると、収容胴部４の採取口部５が閉口して、紙製の収容袋６が採取口部５で挟持される。この時に、収容胴部４から外出部の紙製の収容袋６は折り返し用とする。
【００１９】
図３は、収容胴部４から外出部の紙製の収容袋６を採取口部５に沿って折り返しをすると、折り返し用の紙製の収容袋６は裏面が表面となって、収容胴部４は内部から覆われた状態になる。この折り返しにより、紙製の収容袋６に収容袋採取口部９ができて、収容袋回収部１０に固形排泄物１１を採取することができる。又、回収器は収容胴部４の内部から紙製の収容袋６で覆われるので、固形排泄物１１からの汚染を防止することができる。
【００２０】
図４は、図３の状態で、把手部１を手指で押圧すると、収容胴部の採取口部５が開口するので、この動作に連動して収容袋採取口部９も開口する。その時、折り返しをした紙製の収容袋６が収容胴部４に圧されて紙製の収容袋６が固定されるため、固形排泄物１１に覆い被せても紙製の収容袋６が落下しないで、覆い被せることができる。
【００２１】
紙製の収容袋６を装着した回収器を固形排泄物１１に覆い被せて、把手部を手指で離圧すると、収容胴部４の採取口部５が閉口すると、その採取口部５の動作で、固形排泄物１１が自動的に、収容袋採取口部９から収容袋回収部１０の内部に挿入して採取される。
【００２２】
採取時、収容袋採取口部９の部分が固形排泄物１１によって汚染されるが、折り返しにより紙製の収容袋６の裏面が汚染されているので、折り返しを元に戻して汚染されていない面を表面にする。
【００２３】
採取された固形排泄物１１と裏面が汚染された紙製の収容袋６は、採取口部５の口先で挟持して密閉されているので、移動しても固形排泄物１１が落下しないため、採取した状態で廃棄するトイレ等に移動ができる。
【００２４】
廃棄するトイレ等では、把手部１を手指で押圧すると収容胴部の採取口部５が開口して、採取した固形排泄物１１と汚染されている紙製の収容袋６ごと、直接、便器等に廃棄することができる。又、廃棄する場所への移動に時間がかかる場合は収容袋開口部８を折り、収容胴部４の内部に一時的に保管してから、廃棄できるトイレ等に移動してから直接、便器等に廃棄することができる。
【００２５】
図５は図１の機能を有し、把手部１を収容胴部４に凹状にして取り付け、支持部３を採取口部５の反対側の収容胴部４に設置して、動力部２に輪状スプリングを取り付けた回収器である。
【００２６】
図６は図１の機能を有し、収容胴部４の横部と上部がなく、内曲がり状にした採取口部５を先端部に付いた収容胴部４と、把手部１とが連結された一対体と、動力部２を環状スプリングで構成されている回収器である。
【００２７】
以上、本発明に係る好適な実施例について説明したが、上記に限るものではなく、例えば、これらの回収器に持ち歩き易すく握手や収容袋入れのポケット等を付けた回収器についても本発明に該当するものである。
【００２８】
又、動力部２は採取口部５の開閉に用いる動力であるため、重量が軽いスプリングやバネの金属やプラスチック、ゴム等の非金属の使用も可能で、動力の個数は動力の強さや設置場所により個数を決めることができる。
【００２９】
更に、回収器の材質は軽量で、壊れづらく、成形がしやすい材質が望ましく、特に、金属やプラスチックが望ましい。収容袋６の材質はトイレ等に廃棄するので、水等で形状が変形してトイレ等に詰まらせることがない紙や水等に溶解する水溶性フィルム等の材質を選択するのが望ましい。
【産業上の利用可能性】
【００３０】
本発明は動物の固形排泄物回収具を製造する産業で使用される。
【図面の簡単な説明】
【００３１】
【図１】本発明を実施するための回収器の斜視図である。
【図２】本発明を実施するための回収器の収容胴部に収容袋を挟持した斜視図である。
【図３】本発明を実施するための回収器に収容袋を折り返した状態の斜視図である。
【図４】本発明を実施するための回収器を固形排泄物に覆い被せた下方視図である。
【図５】収容胴部に把手部が付いた回収器の斜視図である。
【図６】収容胴部の横部と上部がない回収器の斜視図である。
【符号の説明】
【００３２】
１  把手部
２  動力部
３  支持部
４  収容胴部
５  採取口部
６  収容袋
７  収容袋底部
８  収容袋開口部
９  収容袋採取口部
１０  収容袋回収部
１１  固形排泄物
【図１】
2006288212.tif 000003
【図２】
2006288212.tif 000004
【図３】
2006288212.tif 000005
【図４】
2006288212.tif 000006
【図５】
2006288212.tif 000007
【図６】
2006288212.tif 000008